(57)【要約】【課題】主に、冷媒の持つ熱交換能力の違いを有効活用し得るようにする。【解決手段】少なくとも、風下側の第１の熱交換部４における、一対のタンク部４１，４２内を仕切壁１５で仕切って、風下側の第１の熱交換部４に、伝熱管４３を通る冷媒１の流れがタンク部４１，４２の長手方向１６の各部で交互に反転される複数のパスＰ（第１パスＰ１〜第３パスＰ３）を形成する。  そして、冷媒入口部１１が接続された第１の熱交換部４の第１パスＰ１と、この第１パスＰ１に隣接する第２パスＰ２との間を仕切る仕切壁１５またはその周辺に、バイパス流路１４に連通するバイパス入口部２１を設けるようにする。【選択図】図３
2014126271.tif 000002
【特許請求の範囲】
【請求項１】
間隔を有して配置された一対のタンク部と、該一対のタンク部間を連結する複数本の伝熱管とを、それぞれ有する第１の熱交換部と第２の熱交換部とを、空気の流れ方向に対して直列に設け、
風下側に位置する前記第１の熱交換部の一側のいずれかのタンク部に冷媒入口部を設け、風上側に位置する前記第２の熱交換部の一側のいずれかのタンク部に冷媒出口部を設け、前記第１の熱交換部と第２の熱交換部とのタンク部間に、風下側の前記第１の熱交換部を出た冷媒を風上側の前記第２の熱交換部へ送る連通路を設けると共に、
風下側の前記第１の熱交換部を流れる冷媒の一部を風上側の前記第２の熱交換部へバイパスさせるバイパス流路を設け、
更に、少なくとも、風下側の前記第１の熱交換部における、前記一対のタンク部内を仕切壁で仕切って、風下側の前記第１の熱交換部に、前記伝熱管を通る冷媒の流れが前記タンク部の長手方向の各部で交互に反転される複数のパスを形成した蒸発器構造であって、
前記冷媒入口部が接続された前記第１の熱交換部の第１パスと、該第１パスに隣接する第２パスとの間を仕切る前記仕切壁またはその周辺に、前記バイパス流路に連通するバイパス入口部を設けたことを特徴とする蒸発器構造。
【請求項２】
前記バイパス入口部が設けられたタンク部とは反対側のタンク部に、前記第１パスと第２パスとの間を連通する連通路を設け、該連通路の通路断面積と前記バイパス入口部の開口面積との面積比によって、前記第２パスと風上側の前記第２の熱交換部とに流入する冷媒の分配量を設定可能に構成したことを特徴とする請求項１に記載の蒸発器構造。
【請求項３】
前記連通路に対し、該連通路を閉鎖可能な閉鎖壁を設け、該閉鎖壁に、連通流量を調整可能な流量調整孔が形成されたことを特徴とする請求項２に記載の蒸発器構造。
【請求項４】
前記バイパス入口部が、前記仕切壁の風上寄りの、湿り度の低い冷媒が入り易い位置に形成されたことを特徴とする請求項１ないし請求項３のいずれか１項に記載の蒸発器構造。
【請求項５】
前記流量調整孔が、前記閉鎖壁の風下寄りの、湿り度の高い冷媒が入り易い位置に形成されたことを特徴とする請求項３または請求項４に記載の蒸発器構造。
【請求項６】
前記第１パスが下降流とされると共に、
前記バイパス入口部が湿り度の低い冷媒が集まり易い上側のタンク部に形成され、
前記連通路が湿り度の高い冷媒が集まり易い下側のタンク部に形成されたことを特徴とする請求項２ないし請求項５のいずれか１項に記載の蒸発器構造。
【発明の詳細な説明】
【技術分野】
【０００１】
この発明は、冷媒の持つ熱交換能力の違いを有効活用し得るようにした蒸発器構造に関するものである。
【背景技術】
【０００２】
自動車などの車両には、車室内の温度を調整するための空調装置が設けられている。
【０００３】
このような空調装置は、冷媒（冷却媒体）を循環させるようにした冷凍サイクルを備えている。この冷凍サイクルには、冷媒と空気との間で熱交換を行わせることによって、冷媒を蒸発させると共に、空気を冷却させるようにした蒸発器が設けられている。
【０００４】
そして、このような蒸発器には、第１の熱交換部と第２の熱交換部とを、空気の流れ方向に対して直列に設けたものが存在している（例えば、特許文献１参照）。
【０００５】
この蒸発器では、風下側に位置する第１の熱交換部の一側に冷媒入口部を設け、風上側に位置する第２の熱交換部の一側に冷媒出口部を設け、第１の熱交換部と第２の熱交換部との間に、風下側の第１の熱交換部を出た冷媒を風上側の第２の熱交換部へ送る連通路を設けると共に、上記した冷媒入口部の周辺を流れる冷媒の一部を風上側の第２の熱交換部へバイパスさせるバイパス流路を設けるようにしている。
【先行技術文献】
【特許文献】
【０００６】
【特許文献１】特開２００９−８５５６９号公報
【発明の概要】
【発明が解決しようとする課題】
【０００７】
しかしながら、上記特許文献１に記載された蒸発器構造には、以下のような問題があった。
【０００８】
即ち、冷凍サイクルから蒸発器へ供給された冷媒を、冷媒入口部またはその周辺から、バイパス流路を介して風上側の第２の熱交換部へバイパスさせるようにしていたので、風下側の第１の熱交換部と、風上側の第２の熱交換部とに対して、ほぼ同質の冷媒が分配されるようになっていた。
【０００９】
そのため、冷媒の質の違いをうまく利用して、風上側の第２の熱交換部と、風下側の第１の熱交換部との熱交換量を調節するような機能は備えていなかった。
【００１０】
その結果として、風上側の第２の熱交換部と、風下側の第１の熱交換部との熱交換量の差が大きくなったり、各熱交換部の温度分布が悪化したりするのを、防止することができなかった。
【００１１】
また、冷媒入口部またはその周辺にて、風上側の第２の熱交換部と、風下側の第１の熱交換部とに対する、冷媒の分配量を設定するようにしていたので、冷媒入口部を構成する小さな部品の中に小さな分配口を精密に設ける必要が生じ、正確な分配量の設定が難しかった。
【課題を解決するための手段】
【００１２】
上記課題を解決するために、請求項１に記載された発明は、
間隔を有して配置された一対のタンク部と、該一対のタンク部間を連結する複数本の伝熱管とを、それぞれ有する第１の熱交換部と第２の熱交換部とを、空気の流れ方向に対して直列に設け、
風下側に位置する前記第１の熱交換部の一側のいずれかのタンク部に冷媒入口部を設け、風上側に位置する前記第２の熱交換部の一側のいずれかのタンク部に冷媒出口部を設け、前記第１の熱交換部と第２の熱交換部とのタンク部間に、風下側の前記第１の熱交換部を出た冷媒を風上側の前記第２の熱交換部へ送る連通路を設けると共に、
風下側の前記第１の熱交換部を流れる冷媒の一部を風上側の前記第２の熱交換部へバイパスさせるバイパス流路を設け、
更に、少なくとも、風下側の前記第１の熱交換部における、前記一対のタンク部内を仕切壁で仕切って、風下側の前記第１の熱交換部に、前記伝熱管を通る冷媒の流れが前記タンク部の長手方向の各部で交互に反転される複数のパスを形成した蒸発器構造であって、
前記冷媒入口部が接続された前記第１の熱交換部の第１パスと、該第１パスに隣接する第２パスとの間を仕切る前記仕切壁またはその周辺に、前記バイパス流路に連通するバイパス入口部を設けたことを特徴とする。
請求項２に記載された発明は、上記において、
前記バイパス入口部が設けられたタンク部とは反対側のタンク部に、前記第１パスと第２パスとの間を連通する連通路を設け、該連通路の通路断面積と前記バイパス入口部の開口面積との面積比によって、前記第２パスと風上側の前記第２の熱交換部とに流入する冷媒の分配量を設定可能に構成したことを特徴とする。
請求項３に記載された発明は、上記において、
前記連通路に対し、該連通路を閉鎖可能な閉鎖壁を設け、該閉鎖壁に、連通流量を調整可能な流量調整孔が形成されたことを特徴とする。
請求項４に記載された発明は、上記において、
前記バイパス入口部が、前記仕切壁の風上寄りの、湿り度の低い冷媒が入り易い位置に形成されたことを特徴とする。
請求項５に記載された発明は、上記において、
前記流量調整孔が、前記閉鎖壁の風下寄りの、湿り度の高い冷媒が入り易い位置に形成されたことを特徴とする。
請求項６に記載された発明は、上記において、
前記第１パスが下降流とされると共に、
前記バイパス入口部が湿り度の低い冷媒が集まり易い上側のタンク部に形成され、
前記連通路が湿り度の高い冷媒が集まり易い下側のタンク部に形成されたことを特徴とする。
【発明の効果】
【００１３】
請求項１に記載された発明によれば、上記構成によって、以下のような作用効果を得ることができる。
即ち、冷凍サイクルを流れる冷媒は、冷媒入口部から、風下側に位置する第１の熱交換部の一側へ供給され、風下側の第１の熱交換部の内部を一側から他側へ向けて流れた後に、風下側の第１の熱交換部から連通路を介して風上側に位置する第２の熱交換部へと送られ、風上側の第２の熱交換部の内部を一側へ向け流れて、風上側の第２の熱交換部の一側から冷媒出口部を介して外部へ取出される。
この際、風下側の第１の熱交換部を流れる冷媒の一部は、バイパス流路を介して風上側の第２の熱交換部へバイパスされる。
また、少なくとも、風下側の第１の熱交換部では、冷媒は、仕切壁で仕切られた複数のパスを、パスごとに伝熱管内での流れ方向を交互に反転しながらタンク部の長手方向に沿って一側から他側へと流れることになる。
そして、上記したように各熱交換部の内部を流れる冷媒と、各熱交換部の外部を流れる空気との間で熱交換が行われて、冷媒が蒸発されると共に、空気が冷却され、除湿される。これにより、空気の温度を調整することが可能となる。
このように、熱交換部を、風上側の第２の熱交換部と風下側の第１の熱交換部とに分けて直列に設けるようにしたことにより、熱交換効率を向上することができる。
そして、風下側の第１の熱交換部においては、第１パスと第２パスとの間を仕切る仕切壁またはその周辺の位置に設けたバイパス入口部から、冷媒を、バイパス流路を介して風上側の第２の熱交換部へとバイパスさせることにより、第１パスの内部の湿り度の低い側の冷媒と、湿り度の高い側の冷媒とのどちらかを選んで集中的に風上側の第２の熱交換部へと導くことができるようになる。
このように、湿り度の低い側の冷媒と、湿り度の高い側の冷媒とを積極的に使い分けるようにすることにより、風上側の第２の熱交換部の熱交換量や、風下側の第１の熱交換部の熱交換量を意図的に改善して、両者の熱交換量の差を小さくしたり、空気の流れ方向から見た時に、空気の流れ領域内の温度分布を小さくしたりすることなどができるようになる。
特に、湿り度の低い側の冷媒を風上側の第２の熱交換部へバイパスさせると共に、湿り度の高い側の冷媒を風下側の第１の熱交換部の第２パスへ通すようにすると、湿り度が低く熱交換能力が低い分の冷媒は、風上側の第２の熱交換部で熱交換され、反対に、湿り度が高く熱交換能力が高い分の冷媒は、風下側の第１の熱交換部と風上側の第２の熱交換部との両熱交換部で熱交換が行われることになるので、風上側の第２の熱交換部と風下側の第１の熱交換部との両熱交換部における熱交換量の差を小さくして、各熱交換部の温度分布を小さくする効果を向上することができる。
以って、全体としての蒸発器の性能を高めることができる。
これに対し、例えば、冷媒入口部またはその周辺で、湿り度の高い冷媒と、湿り度の低い冷媒とに分化される前の同質の冷媒を、そのままバイパス流路を介して風上側の第２の熱交換部へバイパスさせた場合には、上記と比べて、風上側の第２の熱交換部での熱交換量が高くなり、風下側の第１の熱交換部での熱交換量が低くなるので、風上側の第２の熱交換部と、風下側の第１の熱交換部との熱交換量の差が大きくなったり、各熱交換部の温度分布が悪化し易くなる。
請求項２に記載された発明によれば、上記構成によって、以下のような作用効果を得ることができる。
即ち、連通路の通路断面積と、上記したバイパス入口部の開口面積との面積比によって、第２パスと風上側の第２の熱交換部とに流入する冷媒の分配量を設定することができる。そして、第１パスの互いに異なるタンク部に対して、連通路とバイパス入口部とが、それぞれ離して（明確に分けて）設けられることになるので、新たな部品を用いることがなく、また、連通路とバイパス入口部との一方の開口面積の変更で、容易に冷媒の分配量を設定することができるようになる。
これに対し、例えば、冷媒入口部またはその周辺で、冷媒の分配量を設定するようにした場合には、冷媒入口部を構成する小さな部品の中に小さな分配口を精密に設けなければならないので、分配量を正確に設定するのが難しい。
請求項３に記載された発明によれば、上記構成によって、以下のような作用効果を得ることができる。
即ち、閉鎖壁に設けた流量調整孔を用いて、第２パスへ送られる冷媒の流量を調整することにより、第１パスの内部の湿り度の高い側の冷媒と、湿り度の低い側の冷媒とを、上記したように選んで、集中的に第２パスや風上側の第２の熱交換部へ分配させる（即ち、湿り度の高い側の冷媒と、湿り度の低い側の冷媒とを使い分ける）効果をより高めることが可能となる。
請求項４に記載された発明によれば、上記構成によって、以下のような作用効果を得ることができる。
即ち、タンク部内部の長手方向に対する位置が同じであっても、風上寄りの位置は、風下寄りの位置よりも空気からの入熱が大きいので、仕切壁の風上寄りの位置にバイパス入口部を形成することで、より湿り度の低くなった冷媒を、風上寄りのバイパス入口部を通し、更に、バイパス流路を介して、風上側の第２の熱交換部へ集中して送ることができるようになる。
請求項５に記載された発明によれば、上記構成によって、以下のような作用効果を得ることができる。
即ち、タンク部内部の長手方向に対する位置が同じであっても、風下寄りの位置は、風上寄りの位置よりも空気からの入熱が小さいので、閉鎖壁の風下寄りの位置に流量調整孔を形成することで、より湿り度の高い冷媒を、風下寄りの流量調整孔を通して、第２パスへ集中して送ることができるようになる。
請求項６に記載された発明によれば、上記構成によって、以下のような作用効果を得ることができる。
即ち、第１パスが下降流とされることにより、重力を積極的に利用して、第１パスの冷媒を、湿り度の低いガス状の冷媒と、湿り度の高い液状の冷媒とに、分化させることができるようになる。
そして、上側に位置するタンク部に集まった比較的湿り度の低い側の冷媒を、より集中的にバイパス入口部からバイパス流路を介して風上側の第２の熱交換部へ送ることができるようになる。
また、下側に位置するタンク部に集まった比較的湿り度の高い側の冷媒を、より集中的に連通路（流量調整孔）を介して第２パスへ送ることができるようになる。
【図面の簡単な説明】
【００１４】
【図１】本発明の実施例にかかる蒸発器構造の側面図である。
【図２】図１の平面図である。
【図３】図１の内部の概略構成を示す斜視図である。
【図４】図３を空気の流れ方向から見た側面図である。
【図５】図３を一側部の側から見た正面図である。
【図６】図１の積層プレートの斜視図である。
【図７】図１の単位熱交換部の分解斜視図である。
【図８】図７の単位熱交換部の組立状態の斜視図である。
【図９】図１のＡ−Ａ線に沿った断面図である。
【発明を実施するための形態】
【００１５】
以下、本実施の形態、および、それを具体化した実施例を、図面を用いて詳細に説明する。
図１〜図９は、この実施例およびその変形例を示すものである。
【実施例１】
【００１６】
＜構成＞以下、構成について説明する。
自動車などの車両に、車室内の温度を調整するための空調装置が設けられる。
【００１７】
このような空調装置は、冷媒（冷却媒体）を循環させるようにした冷凍サイクルを備えている。この冷凍サイクルには、図１、図２の外観図（図３〜図５の概略構造図も併せて参照）に示すように、冷媒１と空気２との間で熱交換を行わせることによって、冷媒１を蒸発させると共に、空気２を冷却させるようにした蒸発器３が設けられる。
【００１８】
そして、このような蒸発器３を、第１の熱交換部４と第２の熱交換部５とを、空気２の流れ方向６に対して直列（または二段）に設けたものとする。
【００１９】
第１の熱交換部４と第２の熱交換部５とは、それぞれ、間隔を有して配置された一対のタンク部４１，４２およびタンク部５１，５２と、この一対のタンク部４１，４２およびタンク部５１，５２の間を連結する複数本の伝熱管４３，５３とを有する面状または面格子状のものとされる。
【００２０】
この蒸発器３では、風下側に位置する第１の熱交換部４の一側のいずれかのタンク部４１，４２に冷媒入口部１１を設けるようにする。また、風上側に位置する第２の熱交換部５の一側のいずれかのタンク部５１，５２に冷媒出口部１２を設けるようにする。そして、第１の熱交換部４と第２の熱交換部５との間に、風下側の第１の熱交換部４を出た冷媒１を風上側の第２の熱交換部５へ送る連通路１３を設けるようにする。更に、図３に示すように、風下側の第１の熱交換部４を流れる冷媒１の一部を、風上側の第２の熱交換部５へバイパスさせるバイパス流路１４を設けるようにする。
【００２１】
更に、少なくとも、風下側の上記第１の熱交換部４における、上記一対のタンク部４１，４２内を仕切壁１５で仕切って、風下側の上記第１の熱交換部４に、上記伝熱管４３を通る冷媒１の流れが上記タンク部４１，４２の長手方向１６の各部で交互に反転される複数のパスＰ（第１パスＰ１〜第３パスＰ３）を形成する。
【００２２】
（補足説明）
ここで、上記した「冷媒１」は、空調装置の冷凍サイクルに使用される冷却媒体のことである。
【００２３】
上記した「空気２」は、車室内に設置された図示しない空調ユニットの内部を流れる空調用空気（空調風）のことである。
【００２４】
上記した「蒸発器３」は、いわゆるエバポレータなどの冷却用熱交換器である。
【００２５】
上記した「熱交換部４，５」は、上記した空調ユニットの流路断面を覆う面状（または面格子状）を有するものとされている。一対の熱交換部４，５は、互いに、平行な面を有して、面どうしが互いに隣接するように並べて配置されている。この場合には、一対の熱交換部４，５は、後述するように、一体のものとされている。
【００２６】
上記した「間隔」は、対をなすタンク部４１とタンク部４２との間のスペース、および、対をなすタンク部５１とタンク部５２との間のスペースのことである。一対のタンク部４１，４２およびタンク部５１，５２は、それぞれ、同一平面内で平行に配設されるのが好ましいが、必ずしも、これに限るものではない。
【００２７】
上記した「タンク部４１，４２およびタンク部５１，５２」は、それぞれ、冷媒１を流通可能な中空のものとされる。例えば、筒状のものなどとされる。
【００２８】
上記した「伝熱管４３，５３」は、図１に示すように、一対のタンク部４１，４２間および一対のタンク部５１，５２間を連通する複数本のチューブによって構成されている。各伝熱管４３，５３は、間を空気２が通過できるように、所要の間隔を有して、互いに平行に設置される。
【００２９】
ここで、蒸発器３の構成について、積層型のものを例として、簡単に説明する。
積層型の蒸発器３は、例えば、図６に示すような、積層プレート３１を、複数枚積層することによって構成される。
【００３０】
この積層プレート３１は、一枚の金属板をプレス加工して、その両端部に、それぞれ、上記した第１の熱交換部４と第２の熱交換部５とを構成する、一対のタンク部４１，４２および一対のタンク部５１，５２の一部となる二対のバーリング孔３２（突出孔部）を形成すると共に、各対のバーリング孔３２間に、伝熱管４３，５３の一部となる溝部３３を形成したものである。
【００３１】
この積層プレート３１を、図７に示すように、二枚向かい合わせに配置する（貼り合わせる）ことにより、各溝部３３の間にそれぞれ１本の伝熱管４３，５３を有し、各バーリング孔３２の間にそれぞれ短いタンク部４１，４２およびタンク部５１，５２を有する、図８に示すような単位熱交換器部３４が形成される。この際、図７に示すように、各溝部３３の間には、内部伝熱フィン３５を介在させるようにしても良い。
【００３２】
更に、図１、図９に示すように、上記した単位熱交換器部３４を、間に外部伝熱フィン３６を介在させつつ、所要数だけ積層し、全体の外側に端部保護プレート３７（サイドプレート）や補強材などを配置して、これらをロウ付けなどにより一体化することで、複数本の伝熱管４３，５３を有すると共に、短いタンク部４１，４２およびタンク部５１，５２が連結により延長された積層型の蒸発器３が形成される。この積層型の蒸発器３は、第１の熱交換部４と第２の熱交換部５とを一体に有するものとなる。この積層型の蒸発器３は、単位熱交換器部３４の積層数を変えることによって、自由に容量を設定することができるという利点を有している。
【００３３】
上記した「流れ方向６」は、上記空調ユニット内における、蒸発器３近傍の、空気２が流れる方向である。通常は、車両前後方向の前方から後方へ向かう流れとなる。
上記した「直列」は、空気２の流れ方向６に対して並べて配置されていることである。
【００３４】
上記した「風下側に位置する第１の熱交換部４」は、この場合、最初に、冷媒が流入する側の熱交換部である。即ち、冷媒の流れの上流側に位置する熱交換部である。
上記した「一側」は、この場合、タンク部４１，４２およびタンク部５１，５２の一方の端部のことである。通常は、車幅方向の一方の側（右側または左側）となる。
上記した「冷媒入口部１１」は、文字通り、冷媒１の入口となる部分のことである。この場合には、タンク部４１に対して設けられている。冷媒入口部１１には、小さな部品（入口部品）が設けられる。
【００３５】
上記した「風上側に位置する第２の熱交換部５」は、この場合、冷媒が流出する側の熱交換部である。即ち、冷媒の流れの下流側に位置する熱交換部である。
上記した「冷媒出口部１２」は、文字通り、冷媒１の出口となる部分のことである。この場合には、タンク部５１に対して設けられている。冷媒出口部１２には、小さな部品（出口部品）が設けられる。なお、冷媒出口部１２と、冷媒入口部１１とは、一体の部品（出入口共用部品）によって構成することができる。
【００３６】
上記した「連通路１３」は、文字通り、一対の熱交換部４，５を連通する流路のことである。連通路１３は、通常、蒸発器３の他側に設けられる。この場合、他側は、タンク部４１，４２およびタンク部５１，５２の他方の端部のことである。通常は、車幅方向の他方の側（左側または右側）となる。この場合、連通路１３は、タンク部４２，５２の他側間に対して設けられている。
【００３７】
上記した「バイパス流路１４」は、文字通り、風下側の第１の熱交換部４を迂回して風上側の第２の熱交換部５へ冷媒１を送る流路（迂回路）のことである。バイパス流路１４には、図５に示すような、蒸発器３の外部に設けられるものや、図４に示すような、蒸発器３（のタンク部４１）の内部に設けられるものなどが存在している。
この場合、バイパス流路１４の上流側の部分が、例えば、減圧機能を有するキャピラリーチューブ（細管）などとされる。また、バイパス流路１４の下流側の部分が、風下側に位置する第１の熱交換部４において、タンク部４１の他側の部分を上記した仕切壁１５で仕切ることによって、最も他端側の１本または数本の伝熱管４３を他の伝熱管４３から隔離したものなどとされている。なお、上記した仕切壁１５には、バイパス流路１４の上流側を構成するキャピラリーチューブの他端部が接続される開口部が形成される。
【００３８】
上記した「仕切壁１５」は、文字通り、一対のタンク部４１，４２の内部を千鳥状などに仕切る壁のことである。上記した積層型の蒸発器３の場合、例えば、図６に示すように、上記したバーリング孔３２を孔のないエンボス部３９（押出部）に変更することによって簡単に仕切壁１５を設置することが可能である。
【００３９】
図３、図４に示すように、上記した「パスＰ」は、文字通り、風下側の第１の熱交換部４内における、冷媒１を流す経路のことである。このように風下側の第１の熱交換部４内部を複数のパスＰに分けることにより、冷媒１が流れる経路の全長を長くして、冷媒１と空気２との熱交換量を大きくすることができる。この場合には、風下側の第１の熱交換部４内に、３つのパスＰ（第１パスＰ１〜第３パスＰ３）を設けるようにしている。但し、パスＰの構成は、上記に限るものではない。
【００４０】
なお、上記したパスＰは、特に図示しないが、風下側の第１の熱交換部４と同様に、風上側の第２の熱交換部５に対しても設けることができる。
【００４１】
そして、以上のような基本構成に対し、この実施例のものでは、以下のような構成を備えるようにしている。
【００４２】
（構成１）
上記冷媒入口部１１が接続された上記第１の熱交換部４の第１パスＰ１と、この第１パスＰ１に隣接する第２パスＰ２との間を仕切る上記仕切壁１５またはその周辺に、上記バイパス流路１４に連通するバイパス入口部２１を設けるようにする。
【００４３】
（補足説明１）
ここで、上記した「第１パスＰ１」は、外部を流れる空気２との間の熱交換を利用して、冷媒１を、後述する湿り度の高い冷媒１と、湿り度の低い冷媒１とに分けるのに使用するようにしている。そのために、第１パスＰ１は、例えば、３本〜５本程度の伝熱管４３によって構成される比較的小さなものなどとしている。
これに対し、次の第２パスＰ２と、最後の第３パスＰ３とは、第１パスＰ１よりも大きい、ほぼ同じ程度の大きさのものとし、湿り度の高い冷媒１の蒸発が促進されるようにしている。
【００４４】
上記した「仕切壁１５またはその周辺」は、仕切壁１５そのものか（バイパス流路１４をタンク部４１の内部に設ける場合）、または、仕切壁１５に近いタンク部４１の壁部（バイパス流路１４をタンク部４１の外部に設ける場合）である。このうち、上記した仕切壁１５は、第１の熱交換部４における、第１パスＰ１の上流側と、第２パスＰ２の下流側との間を仕切るものである。
【００４５】
上記した「バイパス入口部２１」は、文字通り、上記したバイパス流路１４の入口となる部分である。上記したキャピラリーチューブは、このバイパス入口部２１に接続される。
【００４６】
（構成２）
上記バイパス入口部２１が設けられたタンク部４１とは反対側のタンク部４２に、上記第１パスＰ１と第２パスＰ２との間を連通する連通路２２を設ける。
そして、この連通路２２の通路断面積と上記バイパス入口部２１の開口面積との面積比によって、上記第２パスＰ２と風上側の上記第２の熱交換部５とに流入する冷媒１の分配量を設定可能に構成する。
【００４７】
（補足説明２）
ここで、上記した「連通路２２」は、文字通り、第１の熱交換部４の第１パスＰ１の下流側と、第２パスＰ２の上流側との間を連通する流路となるものである。
【００４８】
（構成３）
そして、上記連通路２２に対し、この連通路２２を閉鎖可能な閉鎖壁２３を設ける。
更に、この閉鎖壁２３に連通流量を調整可能な流量調整孔２４が形成されるようにする。
【００４９】
（補足説明３）
ここで、上記した「閉鎖壁２３」は、上記仕切壁１５と同様のもの（エンボス部３９によって形成されるもの）とされる。
上記した「流量調整孔２４」は、例えば、絞り機能を有するオリフィス開口部などとされる。
【００５０】
（構成４）
図５に示すように、上記バイパス入口部２１が、上記仕切壁１５の風上寄りの、湿り度の低い冷媒１が入り易い位置に形成されるようにする。
【００５１】
（補足説明４）
ここで、上記した「風上寄り」は、文字通り、流れ方向６の上流側の位置のことである。例えば、タンク部４１の風上側半部の位置などとされる。或いは、真中よりも第２の熱交換部５寄りの位置である。
上記した「湿り度の低い冷媒１」とは、相対的に、液状分よりもガス状分の方が多い気液二相状態の冷媒１のことである。
【００５２】
（構成５）
上記流量調整孔２４が、上記閉鎖壁２３の風下寄りの、湿り度の高い冷媒１が入り易い位置に形成されるようにする。
【００５３】
（補足説明５）
ここで、上記した「風下寄り」は、文字通り、流れ方向６の下流側の位置のことである。例えば、タンク部４２の風下側半部の位置などとされる。真中よりも第２の熱交換部５から遠ざかる位置である。
上記した「湿り度の高い冷媒１」とは、相対的に、ガス状分よりも液状分の方が多い気液二相状態の冷媒１のことである。
【００５４】
（構成６）
図４に示すように、上記第１パスＰ１が下降流とされる。
上記バイパス入口部２１が湿り度の低い冷媒１が集まり易い上側のタンク部４１に形成されるようにする。
上記連通路２２（流量調整孔２４）が湿り度の高い冷媒１が集まり易い下側のタンク部４２に形成されるようにする。
【００５５】
（補足説明６）
ここで、上記した「下降流」は、文字通り、上から下へ向かう冷媒１の流れのことである。第１パスＰ１を下降流とするために、一対のタンク部４１，４２は、高低差を付けて設置させるようにする。この場合には、タンク部４１を上側とし、タンク部４２を下側とする。
【００５６】
上記した「上側のタンク部４１」は、下側のタンク部４２よりも、高い位置にあれば、鉛直上下に配置される必要はない。
また、上記した「下側のタンク部４２」は、上側のタンク部４１よりも、低い位置にあれば、鉛直上下に配置される必要はない。
但し、一対のタンク部４１，４２は、鉛直上下に隔てて配置するのが、最も効率良く重力を利用する上で好ましい。
【００５７】
＜作用＞以下、この実施例の作用について説明する。
冷凍サイクルを流れる冷媒１は、冷媒入口部１１から、風下側に位置する第１の熱交換部４の一側へ供給され、風下側の第１の熱交換部４の内部を一側から他側へ向けて流れた後に、風下側の第１の熱交換部４から連通路１３を介して風上側に位置する第２の熱交換部５へと送られ、風上側の第２の熱交換部５の内部を一側へ向け流れて、風上側の第２の熱交換部５の一側から冷媒出口部１２を介して外部（冷凍サイクル）へ取出される。
【００５８】
この際、風下側の第１の熱交換部４を流れる冷媒１の一部は、バイパス流路１４を介して風上側の第２の熱交換部５へバイパスされる。
【００５９】
また、少なくとも、風下側の第１の熱交換部４では、冷媒１は、仕切壁１５で仕切られた複数のパスＰ（第１パスＰ１〜第３パスＰ３）を、パスＰ（第１パスＰ１〜第３パスＰ３）ごとに伝熱管４３内での流れ方向６を交互に反転しながらタンク部４１，４２の長手方向１６に沿って一側から他側へと流れることになる。
【００６０】
そして、上記したように各熱交換部４，５の内部を流れる冷媒１と、各熱交換部４，５の外部を流れる空気２との間で熱交換が行われて、冷媒１が蒸発されると共に、空気２が冷却され、除湿される。これにより、空気２の温度を調整することが可能となる。
【００６１】
このように、熱交換部４，５を、風上側の第２の熱交換部５と風下側の第１の熱交換部４とに分けて直列（二段）に設けるようにしたことにより、熱交換効率を向上することができる。
【００６２】
また、少なくとも、風下側の第１の熱交換部４内部を複数のパスＰに分けることにより、冷媒１が流れる経路を長くして、冷媒１と空気２との熱交換量を大きくすることができる。
【００６３】
＜効果＞この実施例によれば、以下のような効果を得ることができる。
（効果１）
風下側の第１の熱交換部４においては、第１パスＰ１と第２パスＰ２との間を仕切る仕切壁１５またはその周辺の位置に設けたバイパス入口部２１から、冷媒１を、バイパス流路１４を介して風上側の第２の熱交換部５へとバイパスさせることにより、第１パスＰ１の内部の湿り度の低い側の冷媒１と、湿り度の高い側の冷媒１とのどちらかを選んで集中的に風上側の第２の熱交換部５へと導くことができるようになる。
【００６４】
このように、湿り度の低い側の冷媒１と、湿り度の高い側の冷媒１とを積極的に使い分けるようにすることにより、風上側の第２の熱交換部５の熱交換量や、風下側の第１の熱交換部４の熱交換量を意図的に改善して、両者の熱交換量の差を小さくしたり、空気の流れ方向６から見た時に、空気の流れ領域内の温度分布を小さくしたりすることなどができるようになる。
【００６５】
特に、湿り度の低い側の冷媒１を風上側の第２の熱交換部５へバイパスさせると共に、湿り度の高い側の冷媒１を風下側の第１の熱交換部４の第２パスＰ２へ通すようにすると、湿り度が低く熱交換能力が低い分の冷媒１は、風上側の第２の熱交換部５で熱交換され、反対に、湿り度が高く熱交換能力が高い分の冷媒１は、風下側の第１の熱交換部４と風上側の第２の熱交換部５との両熱交換部４，５で熱交換が行われることになるので、風上側の第２の熱交換部５と風下側の第１の熱交換部４との両熱交換部４，５における熱交換量の差を小さくして、各熱交換部４，５の温度分布を小さくする効果を向上することができる。
【００６６】
以って、全体としての蒸発器３の性能を高めることができる。
【００６７】
これに対し、例えば、冷媒入口部１１またはその周辺で、湿り度の高い冷媒１と、湿り度の低い冷媒１とに分化される前の同質の冷媒１を、そのままバイパス流路１４を介して風上側の第２の熱交換部５へバイパスさせた場合には、上記と比べて、風上側の第２の熱交換部５での熱交換量が高くなり、風下側の第１の熱交換部４での熱交換量が低くなるので、風上側の第２の熱交換部５と、風下側の第１の熱交換部４との熱交換量の差が大きくなったり、各熱交換部４，５（のタンク部４１，４２およびタンク部５１，５２）の温度分布が悪化し易くなる。
【００６８】
（効果２）
連通路２２の通路断面積と、上記したバイパス入口部２１の開口面積との面積比によって、第２パスＰ２と風上側の第２の熱交換部５とに流入する冷媒１の分配量を設定することができる。そして、第１パスＰ１の互いに異なるタンク部４１，４２に対して、連通路２２とバイパス入口部２１とが、それぞれ離して（明確に分けて）設けられることになるので、分配のために新たな部品を用いることがなく、また、連通路２２とバイパス入口部２１との一方の開口面積の変更で、容易に冷媒１の分配量を設定することができるようになる。
【００６９】
これに対し、例えば、冷媒入口部１１またはその周辺で、冷媒１の分配量を設定するようにした場合には、冷媒入口部１１を構成する小さな部品の中に小さな分配口を精密に設けなければならないので、分配量を正確に設定するのが難しい。
【００７０】
（効果３）
閉鎖壁２３に設けた流量調整孔２４を用いて、第２パスＰ２へ送られる冷媒１の流量を調整することにより、第１パスＰ１の内部の湿り度の高い冷媒１と、湿り度の低い冷媒１とを、上記したように選んで、集中的に第２パスＰ２や風上側の第２の熱交換部５へ分配させる（即ち、湿り度の高い側の冷媒１と、湿り度の低い側の冷媒１とを使い分ける）効果をより高めることが可能となる。
【００７１】
（効果４）
タンク部４１内部の長手方向１６に対する位置が同じであっても、風上寄りの位置は、風下寄りの位置よりも空気２からの入熱が大きいので、仕切壁１５の風上寄りの位置にバイパス入口部２１を形成することで、より湿り度の低くなった冷媒１を、風上寄りのバイパス入口部２１を通し、更に、バイパス流路１４を介して、風上側の第２の熱交換部５へ集中して送ることができるようになる。
【００７２】
（効果５）
タンク部４１内部の長手方向１６に対する位置が同じであっても、風下寄りの位置は、風上寄りの位置よりも空気２からの入熱が小さいので、閉鎖壁２３の風下寄りの位置に流量調整孔２４を形成することで、より湿り度の高い冷媒１を、風下寄りの流量調整孔２４を通して、第２パスＰ２へ集中して送ることができるようになる。
【００７３】
（効果６）
第１パスＰ１が下降流とされることにより、重力を積極的に利用して、第１パスＰ１の冷媒１を、湿り度の低いガス状の冷媒１と、湿り度の高い液状の冷媒１とに、分化させることができるようになる。
【００７４】
そして、上側に位置するタンク部４１に集まった比較的湿り度の低い側の冷媒１を、より集中的にバイパス入口部２１からバイパス流路１４を介して風上側の第２の熱交換部５へ送ることができるようになる。
【００７５】
また、下側に位置するタンク部４２に集まった比較的湿り度の高い冷媒１を、より集中的に連通路２２（流量調整孔２４）を介して第２パスＰ２へ送ることができるようになる。
【００７６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７７】
１    冷媒
２    空気
３    蒸発器
４    第１の熱交換部
５    第２の熱交換部
６    流れ方向
１１  冷媒入口部
１２  冷媒出口部
１３  連通路
１４  バイパス流路
１５  仕切壁
１６  長手方向
２１  バイパス入口部
２２  連通路
２３  閉鎖壁
２４  流量調整孔
４１  タンク部
４２  タンク部
４３  伝熱管
５１  タンク部
５２  タンク部
５３  伝熱管
Ｐ    パス
Ｐ１  第１パス
Ｐ２  第２パス
Ｐ３  第３パス
【図１】
2014126271.tif 000003
【図２】
2014126271.tif 000004
【図３】
2014126271.tif 000005
【図４】
2014126271.tif 000006
【図５】
2014126271.tif 000007
【図６】
2014126271.tif 000008
【図７】
2014126271.tif 000009
【図８】
2014126271.tif 000010
【図９】
2014126271.tif 000011